(57)【要約】【課題】ろ過膜の破断やシール不良検知の自動化が可能で、破断やシール不良が生じた膜モジュールを個別に特定することができる膜欠陥検査方法を提供する。【解決手段】原水が供給される膜モジュールの１次側空間または原水が膜ろ過された処理水が取り出される膜モジュールの２次側空間と連通し水平方向に延びるガス検知配管の直管部分の下方に、複数の膜モジュールが並列接続された膜モジュールセットの膜欠陥検査方法であって、前記ガス検知配管に水が充満された状態で、前記膜モジュールのガス検知配管が連通する前記１次側空間または２次側空間とは反対の空間へガスを圧入するガス圧入工程と、前記ガス検知配管の直管部分の端部に超音波発信部と超音波受信部とからなる超音波センサを接触させ、前記超音波発信部から発信した超音波に対する反射波を前記超音波受信部で検出するエコー検出工程と、を備える。【選択図】図３
2020093208.tif 000002
【特許請求の範囲】
【請求項１】
原水が供給される膜モジュールの１次側空間または原水が膜ろ過された処理水が取り出される膜モジュールの２次側空間と連通し水平方向に延びるガス検知配管の直管部分の下方に、複数の膜モジュールが並列接続された膜モジュールセットの膜欠陥検査方法であって、
前記ガス検知配管に水が充満された状態で、前記膜モジュールのガス検知配管が連通する前記１次側空間または２次側空間とは反対の空間へガスを圧入するガス圧入工程と、
前記ガス検知配管の直管部分の端部に超音波発信部と超音波受信部とからなる超音波センサを接触させ、前記超音波発信部から発信した超音波に対する反射波を前記超音波受信部で検出するエコー検出工程と、
を備える、ことを特徴とする膜モジュールセットの膜欠陥検査方法。
【請求項２】
前記エコー検出工程で得られた結果から、欠陥部分のある膜モジュールを特定する膜モジュール特定工程をさらに備える、ことを特徴とする請求項１記載の膜モジュールセットの膜欠陥検査方法。
【請求項３】
前記ガス検知配管が樹脂製である、ことを特徴とする請求項１または請求項２記載の膜モジュールセットの膜欠陥検査方法。
【請求項４】
前記エコー検出工程において、前記ガス検知配管の直管部分の軸心方向に超音波が発信されるように超音波センサを接触させる、ことを特徴とする請求項１から３の何れかに記載の膜モジュールセットの膜欠陥検査方法。
【請求項５】
前記ガス検知配管の下方に前記複数の膜モジュールが並列接続された膜モジュールセットを複数備える膜分離装置の膜欠陥検査方法であって、
前記膜分離装置全体で前記ガス検知配管に放出されるガスが集合し、前記ガス検知配管と連通するガス検知大配管に水が充満された状態で、前記ガス圧入工程を実施し、
前記ガス検知大配管の透明部分にガスが貯留されることを検知するガス貯留検知工程と、
を備え、
前記ガス貯留検知工程にてガスが貯留さることを検知した場合に、請求項１から４の何れかに記載の膜モジュールセットの膜欠陥検査方法を行なう、ことを特徴とする膜分離装置の膜欠陥検査方法。
【請求項６】
前記ガス検知大配管の少なくとも一部が透明であり、前記ガス貯留検知工程において、前記ガス検知大配管の透明部分で観察される気液界面を画像解析により検出することでガスの貯留を検知する、ことを特徴とする請求項５記載の膜分離装置の膜欠陥検査方法。
【請求項７】
請求項１から４の何れかに記載の膜欠陥検査方法を実施するための膜欠陥検査装置であって、
原水が供給される膜モジュールの１次側空間または原水が膜ろ過された処理水が取り出される膜モジュールの２次側空間と連通し水平方向に延びるガス検知配管の直管部分の下方に、複数の膜モジュールが並列接続された膜モジュールセットと、
前記ガス検知配管の直管部分の端部に取り付けられた超音波発信部と超音波受信部とからなる超音波センサと、
前記超音波受信部で、前記ガス検知配管の軸心方向に向けて前記超音波発信部から発信された超音波に対する反射波を検出し、前記超音波の発信時期から前記反射波の検出時期までの遅延時間に基づいて欠陥を有する膜モジュールを特定する信号処理部と、
を備えている膜モジュールセットの膜欠陥検査装置。
【発明の詳細な説明】
【技術分野】
【０００１】
本発明は、原水が供給される１次側空間または原水が膜ろ過された処理水が取り出される２次側空間と連通し、水平方向に延びるガス検知配管の直管部分の下方に複数の膜モジュールが並列接続された膜モジュールセットの膜欠陥検査方法及び膜欠陥検査装置、並びにガス検知配管に複数の膜モジュールが並列接続された膜モジュールセットを複数備える膜分離装置の膜欠陥検査方法に関する。
【背景技術】
【０００２】
特許文献１には、ケーシング内を原水室、前記原水室と連通する循環水室及び処理水室とに区分し、前記処理水室と循環水室とを連通するための多数の中空糸膜を有し、前記循環水室から中空糸膜及び処理水室を経て処理水が外部に送出される浄水処理装置において、前記原水室及び循環水室を空状態とし、処理水室にのみ処理水が存在する状態下で、前記中空糸膜の外部に加圧気体を吹込み、前記処理水室側に発生する気泡を検知して前記中空糸膜の破断を検知することを特徴とする浄水処理装置の透過膜モジュールの破断検知方法が提案されている。
【０００３】
特許文献２には、膜モジュールに原水を供給し、前記膜モジュールで浄化された処理水を配水する水処理用ろ過システムにおいて、前記膜モジュールの一次側または二次側に所定圧力の加圧空気を供給する加圧空気供給手段と、前記膜モジュールの上部に取り付けられ、膜の損傷部分から漏れ出て水中を上昇してくる気泡流による振動を検出する振動検出センサと、各振動検出センサで検出される振動信号を個別的に選択し、当該振動信号を分析することにより前記膜モジュールの膜損傷を検出する振動解析処理装置とを備えたことを特徴とする水処理用ろ過システムの膜損傷検出装置が提案されている。
【０００４】
特許文献３には、中空糸状膜の外側或いは内側の一方から原液を供給して他方から濾液を取り出す流通経路上の該濾液が流通または停滞した管の一部を透明な管で構成し、原液が前記中空糸状膜の外側或いは内側の一方から供給され他方から濾液として取り出される前記流通経路にエアを供給して前記透明な管内を該エアの気泡が通過した場合に前記中空糸状膜に膜切れが生じていることを検知することを特徴とする中空糸状膜の膜切れ検知方法が提案されている。
【先行技術文献】
【特許文献】
【０００５】
【特許文献１】特開２００１−２６９５５１号公報
【特許文献２】特開２００７−２４０３７３号公報
【特許文献３】特開平１１−３１１５９６号公報
【発明の概要】
【発明が解決しようとする課題】
【０００６】
特許文献１に記載された破断検知方法は、気泡を検知するために超音波流速計を用いる必要があり、適切な検出環境を確立するために所定長さの直管に超音波流速計を設置する必要があるという設置上の制約があり、どのような浄水処理装置にも取り付けることができるというものではなかった。また、単に気泡を検知するだけであるため、破断した中空糸膜を個別に特定することができなかった。
【０００７】
特許文献２に記載された膜損傷検出装置では、膜モジュール毎に振動検出センサを取り付けるため振動検出センサが多数必要となるとともに、膜モジュールが耐圧性を備えた強固な構造であるため、振動検出センサで検出される振動信号が微弱となり、外部振動などのノイズの影響を受けて検知精度が低いという課題があり、また特許文献１に記載された破断検知方法と同様に、破断した膜モジュールを個別に特定することができなかった。
【０００８】
特許文献３に記載された膜切れ検知方法は、透明な管内を該エアの気泡が通過するか否かを目視確認する必要があり、自動検出が困難であった。
【０００９】
本発明の目的は、上述の問題点に鑑み、ろ過膜の破断やシール不良検知の自動化が可能で、破断やシール不良が生じた膜モジュールを個別に特定することができる膜欠陥検査方法及び膜欠陥検査装置を提供する点にある。
【課題を解決するための手段】
【００１０】
上述の目的を達成するため、本発明による膜モジュールセットの膜欠陥検査方法の第一の特徴構成は、原水が供給される膜モジュールの１次側空間または原水が膜ろ過された処理水が取り出される膜モジュールの２次側空間と連通し水平方向に延びるガス検知配管の直管部分の下方に、複数の膜モジュールが並列接続された膜モジュールセットの膜欠陥検査方法であって、前記ガス検知配管に水が充満された状態で、前記膜モジュールのガス検知配管が連通する前記１次側空間または２次側空間とは反対の空間へガスを圧入するガス圧入工程と、前記ガス検知配管の直管部分の端部に超音波発信部と超音波受信部とからなる超音波センサを接触させ、前記超音波発信部から発信した超音波に対する反射波を前記超音波受信部で検出するエコー検出工程と、を備える点にある。
【００１１】
ガス圧入工程が実行された場合に、膜モジュールに収容されたろ過膜に欠陥がある状況で、水が充満された水平姿勢のガス検知配管の端部に接触させた超音波発信部から超音波を発信するエコー検出工程が実行されると、ガス検知配管のうち気泡が上昇する部位で反射した超音波が超音波受信部で検出される。超音波の発信から反射波の受信までの遅延時間でガス検知配管の端部から気泡が上昇する部位までの距離が算出可能になる。
【００１２】
同第二の特徴構成は、上述の第一の特徴構成に加えて、前記エコー検出工程で得られた結果から、欠陥部分のある膜モジュールを特定する膜モジュール特定工程をさらに備える点にある。
【００１３】
膜モジュール特定工程では、ガス検知配管の端部から算出された距離に基づいて特定される気泡上昇部位の直近の膜モジュールが破断し、またはシール不良が発生していると判定される。
【００１４】
同第三の特徴構成は、上述の第一または第二の特徴構成に加えて、前記ガス検知配管が樹脂製である点にある。
【００１５】
超音波センサを接触させる配管が樹脂製であれば、水が充填されている管内部に管端部で超音波が大きく減衰されるようなこと無く伝播し、充分な検出精度が得られる。
【００１６】
同第四の特徴構成は、上述の第一から第三の何れかの特徴構成に加えて、前記エコー検出工程において、前記ガス検知配管の直管部分の軸心方向に超音波が発信されるように超音波センサを接触させる点にある。
【００１７】
直管部分の軸心方向に超音波を伝播させることにより、直管部分に並列接続された膜モジュールの何れから気泡が洩れているかを一度の測定で確実に検知できるようになる。なお、気泡が上昇する部位が無ければ反射波が検出できないか、反対側の管端部からの反射が検知される。
【００１８】
本発明による膜分離装置の膜欠陥検査方法の第一の特徴構成は、前記ガス検知配管の下方に前記複数の膜モジュールが並列接続された膜モジュールセットを複数備える膜分離装置の膜欠陥検査方法であって、前記膜分離装置全体で前記ガス検知配管に放出されるガスが集合し、前記ガス検知配管と連通するガス検知大配管に水が充満された状態で、前記ガス圧入工程を実施し、前記ガス検知大配管の透明部分にガスが貯留されることを検知するガス貯留検知工程と、を備え、前記ガス貯留検知工程にてガスが貯留さることを検知した場合に、上述した第一から第四の何れかの特徴構成を備えた膜モジュールセットの膜欠陥検査方法を行なう点にある。
【００１９】
上述の膜モジュールセットを複数備える膜分離装置に対して、ガスが貯留されることが検知されると、何れかの膜モジュールが破断し、或いはシール不良が生じていると判断できる。その際に膜モジュールセットの膜欠陥検査方法を実行することにより効率的にろ過膜の破断やシール不良を検出できるようになる。
【００２０】
同第二の特徴構成は、上述の第一の特徴構成に加えて、前記ガス検知大配管の少なくとも一部が透明であり、前記ガス貯留検知工程において、前記ガス検知大配管の透明部分で観察される気液界面を画像解析により検出することでガスの貯留を検知する点にある。
【００２１】
ガス検知大配管の少なくとも一部を透明にすれば、その部位の様子が目視確認でき、目視によりガスが貯留されることが検知でき、また、ガス検知大配管の透明部位を撮影し、その映像を画像解析することにより、自動判定できるようになる。
【００２２】
本発明による膜モジュールセットの膜欠陥検査装置の特徴構成は、上述した第一から第四の何れかの特徴構成を備えた膜欠陥検査方法を実施するための膜欠陥検査装置であって、原水が供給される膜モジュールの１次側空間または原水が膜ろ過された処理水が取り出される膜モジュールの２次側空間と連通し水平方向に延びるガス検知配管の直管部分の下方に、複数の膜モジュールが並列接続された膜モジュールセットと、前記ガス検知配管の直管部分の端部に取り付けられた超音波発信部と超音波受信部とからなる超音波センサと、前記超音波受信部で、前記ガス検知配管の軸心方向に向けて前記超音波発信部から発信された超音波に対する反射波を検出し、前記超音波の発信時期から前記反射波の検出時期までの遅延時間に基づいて欠陥を有する膜モジュールを特定する信号処理部と、を備えている点にある。
【発明の効果】
【００２３】
以上説明した通り、本発明によれば、ろ過膜の破断やシール不良検知の自動化が可能で、破断やシール不良が生じた膜モジュールを個別に特定することができる膜欠陥検査方法及び膜欠陥検査装置を提供することができるようになった。
【図面の簡単な説明】
【００２４】
【図１】膜モジュールセットの説明図であり、（ａ）は正面図、（ｂ）は左側面図
【図２】（ａ）は膜モジュールセットの模式図、（ｂ）は複数の膜モジュールセットを備えた膜分離装置の模式図
【図３】膜モジュールセットに対する膜欠陥検査方法の説明図で、（ａ）はセンサ設置部の要部正面図、（ｂ）はセンサ設置部の要部側面、（ｃ）は検査中の信号説明図
【図４】膜破断またはシール不良が生じた膜モジュール位置を示す膜モジュールセットの説明図
【図５】膜分離装置に対する欠陥検査方法の説明図で、（ａ）は膜分離装置のろ過水大配管に取り付けられた検査装置の説明図、（ｂ）は正常時の検査画像の説明図、（ｃ）は異常時の検査画像説明図
【発明を実施するための形態】
【００２５】
以下に、本発明による膜欠陥検査方法及び膜欠陥検査装置を説明する。
［膜モジュールセット及び膜分離装置の構成］
図１（ａ）,（ｂ）には本発明による膜欠陥検査方法が適用される膜モジュールセット１が例示されている。膜モジュールセット１は、８台の膜モジュール２０と、各膜モジュール２０に原水を供給する原水供給配管である原水ヘッダー管２２と、各膜モジュール２０に洗浄用空気または水や薬液を供給する洗浄空気配管である洗浄ヘッダー管２４と、各膜モジュール２０のろ過水を集水する処理水配管であるろ過水ヘッダー管２６を備えている。
【００２６】
各膜モジュール２０は、膜ケーシング１００及び膜ケーシング１００に収容された膜エレメント２（図１（ｂ）中、一点鎖線で示されている。）で構成され、膜ケーシング１００は、基台３０と、ケーシング本体４０と、上部蓋体５０と、ケーシング本体４０に支持される支持部６０と、ケーシング本体４０の軸方向に沿って支持部６０と上部蓋体５０との相対位置を調整可能に保持する保持部７０等を備えて構成されている。
【００２７】
膜エレメント２は、基台３０と上部蓋体５０との間で其々シール部材Ｐを介して上下が押圧された状態でケーシング本体４０に収容されている。
【００２８】
原水ヘッダー管２２から供給された原水が膜エレメント２でろ過され、ろ過水はケーシング本体４０の内壁と膜エレメント２との間隙を経て上部蓋体５０に形成されたろ過水流出管５４からろ過水ヘッダー管２６に集水される。
【００２９】
膜エレメント２に詰りや汚れが生じると、ろ過水ヘッダー管２６から洗浄水が供給されて膜エレメント２が洗浄され、洗浄液は原水ヘッダー管２２から排水される。さらにその後、洗浄ヘッダー管２４から洗浄用空気等が供給されてフラッシングされる。基台３０、ケーシング本体４０、上部蓋体５０、支持部６０、保持部７０等の材質は金属や樹脂など、ろ過工程や洗浄工程の圧力に耐え得るものであればよく、ろ過水ヘッダー管２６などの配管は施工性、及び後述する膜破断、シール不良検査に適した例えばＡＢＳ樹脂やポリ塩化ビニル樹脂など樹脂で構成されている。
【００３０】
膜エレメント２は、精密ろ過膜、限外ろ過膜、ナノろ過膜など用途に応じて所定サイズの粒子や高分子を阻止する任意のろ過膜を用いることができ、ろ過膜の材質として酢酸セルロースやポリイミドなどを用いた中空糸膜のような有機膜や、セラミック材料を用いた多孔質の無機膜などを用いることができる。
【００３１】
原水ヘッダー管２２から原水が加圧供給されると、膜エレメント２に形成された流体通流孔の内壁のろ過膜層で異物が除去されるろ過工程が進み、膜エレメント２の表面から流出したろ過水が、膜エレメント２の周面とケーシング本体４０の内壁面との間に形成された空間を介してろ過水流出管５４に導かれ、ろ過水ヘッダー管２６に集水される。
【００３２】
水平方向に延びる処理水配管であるろ過水ヘッダー管２６の直管部分の下方に複数の膜モジュール２０、本実施形態では８台の膜モジュール２０が並列接続されて膜モジュールセット１が構成されている。
【００３３】
図２（ａ）には上述の膜モジュールセット１を簡略化した模式図が示され、図２（ｂ）にはろ過水ヘッダー管２６に複数の膜モジュール２０が並列接続された膜モジュールセット１を複数備える膜分離装置２００の模式図が示されている。
【００３４】
外形が縦長の直方体となり上下方向に４段に構成されたフレームに、１段当たり８基の膜モジュールセット１が設置され、各膜モジュールセット１の原水ヘッダー管２２、洗浄ヘッダー管２４、ろ過水ヘッダー管２６のそれぞれが中継配管２２Ａ，２４Ａ，２６Ａを介して原水大配管２２Ｃ、洗浄大配管２４Ｃ、処理水大配管であるろ過水大配管２６Ｃに連結されている。
【００３５】
［膜欠陥検査方法及び膜欠陥検査装置］
このような膜分離装置２００を構成する複数の膜モジュールセット１に組み込まれた各膜モジュール２０の何れかに膜破断やシール不良が生じていると、処理水中に濁質が混入することとなり適切なろ過処理が不可能となる。
【００３６】
そのような場合でも、本発明による膜欠陥検査方法を用いることにより、膜破断やシール不良が生じた膜モジュール２０を個別に特定し、異常状態の膜モジュール２０を速やかに交換することができるようになる。
【００３７】
図３（ａ）に示すように、各膜モジュールセット１のろ過水ヘッダー管２６のうち、ろ過水大配管２６Ａに接続される側とは反対側の管端部２６ｅには、管端面２６ｆから僅かに径が大きな管接続用のフランジ部２６ｇが延出形成されている。ここで、ろ過水ヘッダー管２６がガス検知配管として、ろ過水大配管２６Ａがガス検知大配管として其々機能する。
【００３８】
図３（ｂ）には、膜モジュールセット１に取付けられた膜欠陥検査装置３００が示されている。膜欠陥検査装置３００は、超音波センサ３１０と、信号処理部３２０で構成されている。超音波センサ３１０は、超音波発信部及び超音波受信部が組み込まれて構成され、管端部２６ｅの端面中央部に接触するように設置されている。
【００３９】
ろ過水ヘッダー管２６に水が充填され、原水が供給される膜モジュールの１次側空間と連通する原水ヘッダー管２２から膜エレメント２に空気を圧入した状態で、ろ過膜でろ過された処理水が取り出される膜モジュールの２次側空間と連通するろ過水ヘッダー管２６の管端面２６ｆに超音波センサ３１０を接触させる。
【００４０】
そして、超音波発信部からろ過水ヘッダー管２６の軸心方向に沿って超音波を発信し、当該超音波に対する反射波を超音波受信部で検出する。信号処理部は、超音波の発信時期から反射波の検出時期までの遅延時間に基づいて、ろ過水ヘッダー管２６に接続された何れかの膜モジュール２０に欠陥があるか否かを判断する。膜モジュール２０に欠陥があれば、欠陥箇所から空気が漏洩してろ過水流出管５４を介してろ過水ヘッダー管２６に気泡が流入し、その気泡により反射される超音波が超音波受信部で検出される。
【００４１】
図３（ｃ）には、時刻ｔ０で超音波発信部から発信された超音波の反射波が、超音波受信部により時刻ｔ１及び時刻ｔ２で検出された場合の波形が示されている。時刻ｔ２で検出された反射波は、ろ過水ヘッダー管２６が接続されたろ過水中継管２６Ａの管壁からの反射である。
【００４２】
ろ過水ヘッダー管２６に接続された膜モジュール２０の全てが正常であれば、時刻ｔ２の反射波のみが検出されるが何れかの膜モジュール２０で異常があれば、その膜モジュール２０から漏洩した気泡に反射した反射波が時刻ｔ１で検出される。信号処理部３２０により、時刻ｔ１に対応するろ過水ヘッダー管２６の軸心方向位置（超音波の伝播速度ｖとして、（ｖ×ｔ１）／２により位置が算出される。）の直近に接続されている膜モジュール２０が異常であると判断される。
【００４３】
図４には、膜モジュールセット１を構成する膜モジュール２０に対して、時刻ｔ１に対応するろ過水ヘッダー管２６の軸心方向位置が、超音波センサ３１０の設置位置から７台目の膜モジュール２０近辺であると算出され、７台目の膜モジュール２０に漏洩が発生したと判断する例が示されている。
【００４４】
上述したように処理水配管となるろ過水ヘッダー管２６は、超音波の透過特性に優れる樹脂製であることが好ましい。そのため、当該ろ過水ヘッダー管２６はＡＢＳ樹脂やポリ塩化ビニル樹脂などの樹脂製の管部材で構成されている。超音波センサ３１０を接触させる配管が樹脂製であれば、水が充填されている管内部に管端部で超音波が大きく減衰されるようなことなく伝播し、充分な検出精度が得られる。
【００４５】
エコー検出工程において、ろ過水ヘッダー管２６の直管部分の軸心方向に超音波が発信されるように超音波センサの接触姿勢を整えることが好ましい。直管部分の軸心方向に超音波を伝播させることにより、直管部分に並列接続された膜モジュールの何れから気泡が洩れているかを確実に検知できるようになる。
【００４６】
膜分離装置２００を構成する膜モジュールセット１の全てに上述した膜欠陥検査装置３００を組み込み、信号処理部３２０を遠隔制御することにより、必要なときにいつでも自動で異常の有無を検出することが可能になる。
【００４７】
なお、膜モジュールセット１の全てに膜欠陥検査装置３００を組み込む場合には、経済性が損なわれる場合もある。そこで、以下に説明する膜分離装置２００の膜欠陥検査方法を実行し、何れかの膜モジュールセット１で異常が検出された場合に、手動で各膜モジュールセット１に対する膜欠陥検査方法を実行するように構成することにより経済性が向上する。
【００４８】
即ち、膜分離装置２００の膜欠陥検査方法は、膜分離装置２００全体で得られる処理水が取り出される処理水大配管２６Ｃの少なくとも一部を透明とし、処理水大配管２６Ｃに水が充満された状態で、膜分離装置２００の原水供給側つまり原水大配管管２２Ｃからガスを圧入するガス圧入工程と、処理水大配管２６Ｃの透明部分にガスが貯留されることを検知するガス貯留検知工程と、を備え、ガス貯留検知工程にてガスが貯留されることを検知した場合に、上述した膜モジュールセット１Ｃの膜欠陥検査方法を行なう。
【００４９】
図５（ａ）に示すように、処理水大配管２６Ｃのうち上端部の曲管からフランジ接続された水平配管の一部を透明樹脂管２６Ｄで構成し、当該透明樹脂管２６Ｄから水平姿勢で管内を撮影する撮像装置３３０を設置することが好ましい。
【００５０】
何れかの膜モジュールに膜破断やシール不良が発生していると、漏洩した気泡が透明樹脂管２６Ｄに流入して上昇し、その水面が低下するように変動する。撮像装置３３０により撮影された気液界面が含まれる画像を画像処理装置３４０により解析することにより、水面の低下が検出されると、何れかの膜モジュール２０が故障していると判断できるようになる。
【００５１】
画像処理装置３４０として画像解析ソフトがインストールされたコンピュータ装置を好適に用いることができ、例えば撮影画像に対してエッジ抽出処理などを実行することにより気液界面を抽出することができる。撮像装置３３０により得られた画像を無線送信することにより、遠隔地に設置された画像処理装置３４０で解析することも可能である。
【００５２】
なお、撮像装置３３０や画像処理装置３４０を用いずに、透明樹脂管２６Ｄを直接目視確認して気液界面の変動を観察してもよい。
【００５３】
上述した実施形態の膜モジュールセットは、ろ過水ヘッダー管２６が膜モジュールの上方に位置しており、ろ過水ヘッダー管２６をガス検知配管として利用しているが、原水ヘッダー管２２が膜モジュールの上方に位置する膜モジュールセットである場合には、膜モジュールの２次側空間へガスを圧入して原水ヘッダー管２２をガス検知配管として、原水大配管２２Ｃをガス検知大配管として利用してもよい。その場合は、膜モジュールのろ過水取出し側からガスを圧入し、原水供給配管の端部に突出部を設けて、当該突出部に超音波センサを接触配置すればよい。
【００５４】
さらには、上述した実施形態の膜モジュールセットにおいて洗浄空気配管をガス検知配管として洗浄大配管２４Ｃをガス検知大配管として利用することもでき、膜欠陥検査専用のガス検知配管とガス検知大配管を別途設けることもできる。
【００５５】
即ち、本発明による膜モジュールセットの膜欠陥検査方法は、原水が供給される膜モジュールの１次側空間または原水が膜ろ過された処理水が取り出される膜モジュールの２次側空間と連通し水平方向に延びるガス検知配管の直管部分の下方に、複数の膜モジュールが並列接続された膜モジュールセットの膜欠陥検査方法であって、前記ガス検知配管に水が充満された状態で、前記膜モジュールのガス検知配管が連通する前記１次側空間または２次側空間とは反対の空間へガスを圧入するガス圧入工程と、前記ガス検知配管の直管部分の端部に超音波発信部と超音波受信部とからなる超音波センサを接触させ、前記超音波発信部から発信した超音波に対する反射波を前記超音波受信部で検出するエコー検出工程と、を備えている。
【００５６】
以上、本発明による膜欠陥検査方法及び膜欠陥検査装置について図面を参照して基本的構成を説明したが、膜欠陥検査方法及び膜欠陥検査装置の具体的な検査手順、装置構成などについては、上述した実施形態で説明した態様に限定されるものではなく、本発明による作用効果を奏する範囲において適宜選択して実施可能であることはいうまでもない。
【符号の説明】
【００５７】
１：膜モジュールセット
２：膜エレメント
２０：膜モジュール
２２：原水ヘッダー管（原水供給配管）
２４：洗浄ヘッダー管（洗浄空気配管）
２６：（処理水配管）ろ過水ヘッダー管
２６Ｃ：（処理水大配管）ろ過水大配管
４０：ケーシング（本体）
５０：ケーシング（上部蓋体）
５４：ろ過水流出管
６０：支持部
【図１】
2020093208.tif 000003
【図２】
2020093208.tif 000004
【図３】
2020093208.tif 000005
【図４】
2020093208.tif 000006
【図５】
2020093208.tif 000007